(57)【要約】【課題】  空調機の過負荷運転状態が生じた際に、実際に空調機の設置された室内に居るものが現場で即時に対応することのできる空調機を管理するための空調管理システムの提供を目的とする。【解決手段】  空調管理システムは、膨張弁の開度を検出する膨張弁開度検出手段と、前記膨張弁開度検出手段により検出された膨張弁開度を基に前記膨張弁開度の所定時間毎の移動平均値を算出する膨張弁開度移動平均値演算手段と、前記膨張弁開度移動平均値演算手段により算出された膨張弁開度移動平均値に基づいて前記冷媒回路の過負荷運転状態の発生を判断する過負荷運転状態判断手段と、前記過負荷運転状態判断手段により前記過負荷運転状態が生じたと判断された場合に前記過負荷運転状態の発生に係る信号を報知出力する報知出力手段とを備えてなるものである。【選択図】  図４
2007093138.tif 000002
【特許請求の範囲】
【請求項１】
圧縮機、熱源側熱交換器、膨張弁、及び利用側熱交換器が順次環状に配管接続されてなる冷媒回路を備える空調機を管理するシステムであって、前記膨張弁の開度を検出する膨張弁開度検出手段と、前記膨張弁開度検出手段により検出された膨張弁開度を基に前記膨張弁開度の所定時間毎の移動平均値を算出する膨張弁開度移動平均値演算手段と、前記膨張弁開度移動平均値演算手段により算出された膨張弁開度移動平均値に基づいて前記冷媒回路の過負荷運転状態の発生を判断する過負荷運転状態判断手段と、前記過負荷運転状態判断手段により前記過負荷運転状態が生じたと判断された場合に前記過負荷運転状態の発生に係る信号を報知出力する報知出力手段とを備えてなることを特徴とする空調管理システム。
【請求項２】
冷媒回路の利用側熱交換器が設置されている室内の空気温度の単位時間当たりの変化量を検出する室内温度変化量検出手段を備え、過負荷運転状態判断手段は、前記室内温度変化量検出手段により検出された室内空気温度変化量、及び膨張弁開度移動平均値演算手段により算出された膨張弁開度移動平均値に基づいて室内空間が外部空間に開放されたことによる過負荷運転状態の発生を判断するように構成されていることを特徴とする請求項1に記載の空調管理システム。
【請求項３】
冷媒回路の利用側熱交換器が配備された室内機が同一室内に複数台設置され、各々の室内機近傍の室内空気温度を検出する複数の室内機近傍温度検出手段と、前記室内機近傍温度検出手段により検出された各室内機近傍温度、及び各室内機毎に予め設定されている設定温度に基づいて、前記設定温度が不適切である室内機を特定し前記特定した室内機に係る信号を報知出力手段に送信する設定温度不適切特定手段と、前記室内機近傍温度検出手段により検出された各室内機近傍温度、及び各室内機毎に予め設定されている設定温度に基づいて、前記室内機により空気調和される空間の大きさ、温度及び湿度に対して運転能力が不足している可能性のある室内機を特定し前記特定した室内機に係る信号を報知出力手段に送信する能力不足特定手段とを備えることを特徴とする請求項1に記載の空調管理システム。
【請求項４】
冷媒回路の利用側熱交換器と膨張弁が配備された室内機が同一室内に複数台設置され、各々の室内機近傍の室内温度を検出する複数の室内機近傍温度検出手段と、各々の室内機の膨張弁の開度を検出する複数の膨張弁開度検出手段と、各々の膨張弁開度検出手段により検出された膨張弁開度を基に前記膨張弁開度の所定時間毎の移動平均値を算出する複数の膨張弁開度移動平均値演算手段と、各々の室内機近傍温度検出手段により検出された各室内機近傍温度、及び各々の膨張弁開度移動平均値演算手段により算出された各膨張弁開度移動平均値とに基づいて、前記室内機により空気調和される空間の大きさ、温度及び湿度に対して運転能力が不足している可能性のある室内機を特定し前記特定した室内機に係る信号を報知出力手段に送信する平均能力不足特定手段とを備えたことを特徴とする請求項1に記載の空調管理システム。
【請求項５】
外部の遠隔監視システムと通信ネットワークを介して通信接続される送信手段を備え、前記送信手段は、報知出力手段から報知出力された過負荷運転状態に係る信号を前記遠隔監視システムへ送信するように構成されていることを特徴とする請求項1乃至請求項４のいずれかに記載の空調管理システム。
【発明の詳細な説明】
【技術分野】
【０００１】
本発明は、空調管理システムに関するものである。
【背景技術】
【０００２】
従来の空調機の管理ステムでは、空調機の運転データを収集し、遠隔地において標準値との比較を行い、空調機の故障等を判断していた（特許文献１、特許文献２参照）。
【０００３】
【特許文献１】特開２００４−２８２７９
【特許文献２】特開２００１−２８０６７４
【発明の開示】
【発明が解決しようとする課題】
【０００４】
しかしながら、従来の管理システムでは、空調機の膨張弁開度を利用して空調機の運転状態を判断しておらず、判断の精度が十分高いものではなかった。また、空調機が故障等していると判断した場合にその判断結果の出力を遠隔地において行っていたため、実際に空調機の設置された室内に居るものが現場で即時に対応することができなかった。
【課題を解決するための手段】
【０００５】
上記目的を達成するために、本発明に係る空調管理システムは、圧縮機、熱源側熱交換器、膨張弁、及び利用側熱交換器が順次環状に配管接続されてなる冷媒回路を備える空調機を管理するシステムであって、前記膨張弁の開度を検出する膨張弁開度検出手段と、前記膨張弁開度検出手段により検出された膨張弁開度を基に前記膨張弁開度の所定時間毎の移動平均値を算出する膨張弁開度移動平均値演算手段と、前記膨張弁開度移動平均値演算手段により算出された膨張弁開度移動平均値に基づいて前記冷媒回路の過負荷運転状態の発生を判断する過負荷運転状態判断手段と、前記過負荷運転状態判断手段により前記過負荷運転状態が生じたと判断された場合に前記過負荷運転状態の発生に係る信号を報知出力する報知出力手段とを備えてなるものである。
【０００６】
冷媒回路の利用側熱交換器が設置されている室内の空気温度の単位時間当たりの変化量を検出する室内温度変化量検出手段を備え、過負荷運転状態判断手段は、前記室内温度変化量検出手段により検出された室内空気温度変化量、及び膨張弁開度移動平均値演算手段により算出された膨張弁開度移動平均値に基づいて室内空間が外部空間に開放されたことによる過負荷運転状態の発生を判断するように構成されていることを特徴とするものである。
【０００７】
冷媒回路の利用側熱交換器が配備された室内機が同一室内に複数台設置され、各々の室内機近傍の室内空気温度を検出する複数の室内機近傍温度検出手段と、前記室内機近傍温度検出手段により検出された各室内機近傍温度、及び各室内機毎に予め設定されている設定温度に基づいて、前記設定温度が不適切である室内機を特定し前記特定した室内機に係る信号を報知出力手段に送信する設定温度不適切特定手段と、前記室内機近傍温度検出手段により検出された各室内機近傍温度、及び各室内機毎に予め設定されている設定温度に基づいて、前記室内機により空気調和される空間の大きさ、温度及び湿度に対して運転能力が不足している可能性のある室内機を特定し前記特定した室内機に係る信号を報知出力手段に送信する能力不足特定手段とを備えることを特徴とするものである。
【０００８】
冷媒回路の利用側熱交換器と膨張弁が配備された室内機が同一室内に複数台設置され、各々の室内機近傍の室内温度を検出する複数の室内機近傍温度検出手段と、各々の室内機の膨張弁の開度を検出する複数の膨張弁開度検出手段と、各々の膨張弁開度検出手段により検出された膨張弁開度を基に前記膨張弁開度の所定時間毎の移動平均値を算出する複数の膨張弁開度移動平均値演算手段と、各々の室内機近傍温度検出手段により検出された各室内機近傍温度、及び各々の膨張弁開度移動平均値演算手段により算出された各膨張弁開度移動平均値とに基づいて、前記室内機により空気調和される空間の大きさ、温度及び湿度に対して運転能力が不足している可能性のある室内機を特定し前記特定した室内機に係る信号を報知出力手段に送信する平均能力不足特定手段とを備えたことを特徴とするものである。
【０００９】
外部の遠隔監視システムと通信ネットワークを介して通信接続される送信手段を備え、前記送信手段は、報知出力手段から報知出力された過負荷運転状態に係る信号を前記遠隔監視システムへ送信するように構成されていることを特徴とするものである。
【発明の効果】
【００１０】
本発明の空調管理システムは、膨張弁の開度を検出し、検出した膨張弁開度を基に空調機の過負荷運転状態が生じたことを判断し、その旨の報知出力を行うので、空調機の過負荷運転状態が生じた場合に、空調機が設置された室内に居る者が即時に所定の対応ができて空調機の無駄な運転を少なくすることができる。
【発明を実施するための最良の形態】
【００１１】
実施の形態１．
以下、本発明の実施の形態を説明する。
図１は本発明に係る空調管理システムの一例の設置形態の構成をあらわすブロック図である。図１に示すように、この空調管理システムは、空調機１００と、集中制御装置４と、運転状態管理装置５と、遠隔監視システム２００とから構成されている。空調機１００は、室外機１Ａ,１Ｂ,１Ｃと、室内機２Ａ，２Ｂ，２Ｃと、室内機１Ａ,１Ｂ,１Ｃの操作を行うリモコン３Ａ，３Ｂ，３Ｃとを有している。室外機１Ａ，１Ｂ，１Ｃは室内機２Ａ，２Ｂ，２Ｃと各々伝送線９Ａ，９Ｂ，９Ｃを介して、室外機１Ａと室外機１Ｂおよび室外機１Ｃは伝送線８Ｂおよび伝送線８Ｃを介して、リモコン３Ａ，３Ｂ，３Ｃは室内機２Ａ，２Ｂ，２Ｃと伝送線９Ｄ，９Ｅ，９Ｆを介してデータの送受信を行っている。
【００１２】
前記した空調機１００の概略構成を図２に示す。この空調機１００は一般汎用の空調機であり、室外には室外機１Ａ，１Ｂ，１Ｃが室内には室内機２Ａ，２Ｂ，２Ｃが設置される。室外機１Ａ，１Ｂ，１Ｃ内には、圧縮機１０１と、圧縮機１０１に配管接続された熱源側熱交換器１０２と、熱源側送風機１０３とが設置されている。室内機２Ａ，２Ｂ，２Ｃ内には、膨張弁１０４と、膨張弁１０４に配管接続された利用側熱交換器１０５と、利用側送風機１０６と、フィルタ１０７とが設置されている。膨張弁１０４は室外機１Ａ，１Ｂ，１Ｃ内の熱源側熱交換器１０２と配管接続されており、各々室内機２Ａ，２Ｂ，２Ｃに対応する膨張弁開度検出手段２０Ａ，２０Ｂ，２０Ｃを備えている。また、利用側熱交換器１０４は室外機１Ａ，１Ｂ，１Ｃ内の圧縮機１０１と配管接続されている。即ち、圧縮機１０１、熱源側熱交換器１０２、膨張弁１０４、及び利用側熱交換器１０５が順次配管接続されて冷媒回路を構成する。
【００１３】
室内機２Ａ，２Ｂ，２Ｃの室内空気の吸い込み口近傍には、室内機近傍温度検出手段２１Ａ，２１Ｂ，２１Ｃが各々設けられている。尚、図２に示す１０８は室内空間であり、１０９は窓である。
【００１４】
図１に示す各リモコン３Ａ，３Ｂ，３Ｃは、キーボードなどに代表される外部入力手段３３Ａ，３３Ｂ，３３Ｃと、液晶ディスプレーなどに代表される表示手段３４Ａ，３４Ｂ，３４Ｃと、スピーカーなどに代表される音声出力手段３５Ａ，３５Ｂ，３５Ｃを備えている。
【００１５】
集中制御装置４は伝送線８Ａによって、前記室内機２Ａ，２Ｂ，２Ｃ、室外機１Ａ，１Ｂ，１Ｃ、及びリモコン３Ａ，３Ｂ，３Ｃと接続されることにより、空調機１００の運転データを収集できるようになっている。伝送線１０によって、集中制御装置４と接続される運転状態管理装置５は、伝送線６によって、遠隔監視システム２００と接続されており、遠隔地と接続可能となっている。
【００１６】
前記の運転状態管理装置５は汎用のＣＰＵ、ＲＯＭ、ＲＡＭ、データバス、入出力ポート、インターフェース（いずれも図示省略）などを備えた演算装置で構成されている。この運転状態管理装置５は図３に示すように、いずれも後で詳述する受信手段３２、記憶手段３０、タイマ手段３１、膨張弁開度移動平均値演算手段２２Ａ，２２Ｂ，２２Ｃ、過負荷運転状態判断手段２３、室内温度変化量検出手段２５、設定温度不適切特定手段２６、能力不足特定手段２７、平均能力不足特定手段２８、報知出力手段２４、および、送信手段２９の各機能を有している。
【００１７】
遠隔監視システム２００は、インターフェース７，９と、公衆回線等８と、遠隔監視端末１１と、ビル管理者１２又はサービスマン１３の有する通信装置とから構成されている。遠隔監視端末１１はインターフェース９と伝送線１４を介して公衆回線等８と接続され、運転状態管理装置５と通信を行い、更に、公衆回線等８を介してビル管理者１２又はサービスマン１３と通信を行うようになっている。ビル管理者１２又はサービスマン１３の有する通信装置には、表示手段３４Ｄ及び音声出力手段３５Ｄが設けられている。
【００１８】
上記した構成の空調機１００は、圧縮機１０１で冷媒を圧縮し、高温高圧となったガス冷媒を熱源側熱交換器１０２に送り、熱源側熱交換器１０２でガス冷媒を凝縮させ、気液二相となった冷媒を膨張弁１０４で更に圧力を下げさせ、最後に利用側熱交換器１０５に入って液体冷媒が蒸発して室内の熱を奪って空調機１００の役目を果たし、蒸発してガスとなった冷媒は圧縮機１０１に戻され、冷媒回路を繰り返し循環する。
【００１９】
膨張弁１０４は冷媒流量を調整するとともに、冷房運転時には冷媒の絞り作用により冷媒を低温、低圧のものとし、次に冷媒が導入される利用側熱交換器１０２において冷媒を効率よく蒸発させるために設けられている。膨張弁１０４が大きく開いているとき、即ち、膨張弁開度が大きいときは、利用側熱交換器１０５に導入される冷媒量が増大し、冷媒量が少ないときに比較してより多くの冷媒が蒸発し、これにより室内空気の冷却効果が高まる。従って、膨張弁開度大きい時は小さいときに比較してより多くの冷媒を循環させることになる結果、空調機１００の運転負荷が大きくなる。
【００２０】
図４は、一台の室内機（例えば２Ａ）の膨張弁開度瞬時値及び膨張弁開度移動平均値の時系列変化を示した概略図である。膨張弁開度瞬時値は室内機２Ａ内に設けられた膨張弁開度検出手段２０Ａにより検出されたデジタルデータである。膨張弁開度移動平均値とは、タイマ手段３１により計時される所定時間毎に検出された膨張弁開度瞬時値を、検出時点から過去の一定時間までについて平均し、所定時間ごとにずらしながら算出した値であり、例えば、膨張弁開度瞬時値を1分毎に検出するとして、現時点から過去３０分間の膨張弁開度瞬時値について平均値を算出して1分毎にずらしながら順次繰り返して算出した値である。
【００２１】
図４は縦軸が膨張弁開度を、横軸が時間を示しており、図４中一点鎖線は膨張弁開度瞬時値を、実線は膨張弁開度移動平均値Lev_aveを、破線は閾値L_borderを示している。図４中、Ａの領域は空調機が停止しており、膨張弁開度瞬時値が小さいままであることを示している。Ｂの領域は、空調機の運転開始直後であることを示し、外気温度とほぼ等しくなっている室内温度を空調機で設定された設定温度まで下げるために膨張弁開度瞬時値が長時間大きくなることを示している。Ｃの領域は運転開始直後の負荷の大きくなった状態の運転を終了し、膨張弁開度瞬時値が大きくなる状態と小さくなる状態を繰り返しながら、定常運転を行っている。Ｄの領域は何らかの理由により膨張弁開度が長時間大きくなっており、本来定常運転を行うはずのところであるのに、運転負荷の大き過ぎる無駄な運転状態であり、過負荷運転状態であるといえる。
【００２２】
上記過負荷運転状態を、膨張弁開度移動平均値Lev_aveに基づいて判断する方法を以下に説明する。図４において実線で示す膨張弁開度移動平均値Lev_aveは空調機の運転状態に応じて変化しており、運転開始直後の負荷の大きくなった運転状態であったＢの領域に対応する部分（平均値を過去３０分のものとした場合は、起動後３０分間は平均値が算出されない。このように、Ｂの領域の瞬時値が平均値に反映されるまでには一定時間を要する）は、膨張弁開度移動平均値Lev_aveが閾値L_borderを上回っている。
【００２３】
ここで、膨張弁開度移動平均値の閾値L_borderは、外部空気温度、室内空気温度及び空調機の運転能力等の諸条件を考慮して個別の室内機毎に任意に設定される値であるとともに、運用状況に応じて書き換えることが可能な値である。この閾値L_borderは、リモコン３Ａ，３Ｂ，３Ｃ又は、運転状態管理装置５の外部入力手段３３Ａ，３３Ｂ，３３Ｃ，３３Ｄから各空調機２Ａ，２Ｂ，２Ｃ毎に予め設定入力されて記憶手段３０に記憶されている。
【００２４】
図４において、定常運転状態であったＣの領域に対応する部分の膨張弁開度移動平均値Lev_aveは、運転開始時の負荷の大きくなった状態であるＢの領域に対応する部分とは逆に閾値L_borderを下回っている。更に、負荷の大きいＤの領域に対応する部分は閾値L_borderを上回っている。以上より、膨張弁開度移動平均値Lev_aveに基づけば空調機の運転状態が定常的な負荷の運転状態であるのか負荷の大きくなった運転状態であるのか判断可能である。
【００２５】
上記の考え方により、過負荷運転状態が生じたと判断するにあたっては、空調機２Ａの運転開始直後の負荷の大きくなった状態の際に、過負荷運転状態であると判断しないように、図４中に示した運転開始時マスク時間Tmask0（例えば３０分）を設け、Tmask0の時間内であれば、膨張弁開度移動平均値Lev_aveが閾値L_borderを超過していても過負荷運転とは認識しないものとすることで、過負荷運転状態の判断精度を向上させている。
【００２６】
同様に、人の出入りのためにドア等を一時的に開放した際等にも膨張弁開度が瞬間的に大きくなることが考えられるが、３０分間の平均値でみれば膨張弁開度移動平均値Lev_aveが閾値L_borderを上回ることは起こりにくい。一時的なドアの開閉ではなく、実際にドアなどが開放されたままである場合に過負荷運転状態が生じたと判断するために、例えば５分の発報マスク時間Tmask1を設ける。即ち、膨張弁開度移動平均値Lev_aveが閾値L_borderを発報マスク時間Tmask1の間継続して上回った場合に、過負荷運転状態が生じたと判断し、その旨を報知出力手段２４により報知出力する。上記の運転開始時マスク時間Tmask0及び発報マスク時間Tmask1を設定することで、過負荷運転状態の判断精度を向上させることができる。
【００２７】
図５は、運転状態管理装置５における一台の空調機の過負荷運転状態の判断方法に関するフローを表した図であり、３つのstepに大別される。step1（Ｓ１０１〜Ｓ１０７）において、膨張弁開度瞬時値を受信手段３２において受信すると膨張弁開度移動平均値演算手段２２Ａは、膨張弁開度移動平均値Lev_aveを演算する。更に、室内機２Ａの運転開始時からの経過時間である運転開始経過タイマＴ０を算出し、step2（Ｓ１０８）において運転開始経過タイマＴ０が運転開始時マスク時間Tmask0を超えたかどうかの判断を行う。step3（Ｓ１０９〜Ｓ１１５）では、過負荷運転状態判断手段２３において過負荷運転状態が発生したかどうか判断する。
【００２８】
step1において、運転状態管理装置５は膨張弁開度検出手段２０Ａから室内機２Ａの膨張弁開度瞬時値を、室内機近傍温度検出手段２１Ａから室内温度を、また、外気温度、設定温度及び室内機２Ａが運転中かどうかを、伝送線８を介して例えば１分間隔で定期的に受信し、記憶手段３０に記憶し（S１０１）、現時点から過去例えば３０分間の膨張弁開度移動平均値Lev_aveを膨張弁開度移動平均値演算手段２２Ａにより演算する（S１０２）。かかる演算は空調機１００の運転開始前においても常に行うものとする。
【００２９】
次に、タイマ手段３１において空調機１００が運転開始したかどうかを判断し（S１０３）、運転開始していなければ、運転開始経過タイマＴ０を-１とし（Ｓ１０４）、Ｓ１０１に戻る。運転開始していれば運転開始経過タイマＴ０ > -１かどうか、つまり前回は停止中であったかどうかを判断し（S１０５）、前回停止中であった場合は運転開始経過タイマＴ０ = ０とする（S１０６）。その後、運転開始経過タイマＴ０をインクリメントし、運転継続時間をカウントする（S１０７）。
【００３０】
次に、step2において、空調機１００が運転開始時の負荷の大きくなった運転状態を終了した、すなわち運転開始経過タイマＴ０が運転開始時マスク時間Tmask0を超えたかどうかの判断を行う（S１０８）。運転開始経過タイマＴ０が運転開始時マスク時間Tmask0を超えていなければＳ１０１に戻る。運転開始経過タイマＴ０が運転開始時マスク時間Tmask0を超えていた場合、step3に移行し、過負荷運転状態判断手段３３において、膨張弁開度移動平均値Lev_aveが閾値L_borderを超過しているかどうかを判断する（S１０９）。膨張弁開度移動平均値Lev_aveが閾値L_borderを超えていなければ、連続超過タイマT１を-１（S１１０）とし、超えていれば、連続超過タイマT１が-１つまり前回まで超えていたかどうかを判断し（S１１１）、前回超えていなければ連続超過タイマT１を０（S１１２）とする。その後、連続超過タイマT１をインクリメント（T１ = T１ + １：S１１３）し、連続超過タイマT１の値が、発報マスク時間Tmask1を超えているかどうかを判断し（S１１４）、超えていなければＳ１０１に戻り、もし超えていれば報知出力手段２４において報知出力を行う（Ｓ１１５）。
【００３１】
報知出力方法は、まず、運転状態管理装置５の送信手段２９により、過負荷運転状態が生じたと判断された室内機２Ａのリモコン３Ａへ、あるいは通信ネットワークを介して外部の遠隔監視端末１１、更にはビル管理者１２やサービスマン１３の通信装置へ過負荷運転状態にかかる情報を送信する。次に、過負荷運転状態が生じた室内機２Ａを特定するための機械番号又は設定場所、過負荷運転状態が生じた時点の室内温度、外気温度及び設定温度等をリモコン３Ａやビル管理者１２、サービスマン１３の表示手段３４Ａ，３４Ｄ又は音声出力手段３５Ａ、３５Ｄに出力する。出力の際は、着色信号を点滅させたり、発信音を鳴らしたりすることで、過負荷運転状態の生じた室内機２Ａの設置された室内に居る者に開放されたままの窓やドアを閉めさせるよう促すか、あるいは、空調機１００からは遠隔地に居るビル管理者１２やサービスマン１３から過負荷運転状態の生じた室内機２Ａの設置された室内に居る者にメールや電話などにより連絡させるよう促す。更に、自動的にビル管理者やサービスマンからの過負荷運転状態にかかる情報が空調機１００の設置された室内に居る者にメール送信されるようにしてもよい。
【００３２】
以上より、膨張弁開度移動平均値Lev_aveを利用することで、空調機の過負荷運転状態を判断することができその旨を報知出力できるので、過負荷運転状態にある室内機２Ａの設置された室内に居る者が過負荷運転状態の原因を解消して過負荷運転状態を終了させるよう促し、過負荷運転状態が解消すれば無駄な電力の使用を抑えることができる。また、運転開始経過タイマＴ０が運転開始時マスク時間Tmask0を、連続超過タイマT１が発報マスク時間Tmask1をそれぞれ超えたときにのみ過負荷運転状態と判断されるので判断精度を高く維持することができる。
【００３３】
実施の形態２．
以下に本発明の他の実施形態を記載する。本実施形態では、室内空間１０８が外部空間に開放された場合に過負荷運転状態であるとの判断を行う方法に関するものである。実施形態１のシステムにおいては膨張弁開度のみに基づき過負荷運転状態であるか否かの判断を行ったが、室内空間１０８が外部空間に開放された場合には室内温度が大きく変化することが予想されることから、本実施形態においては過負荷運転状態の判断要素として室内温度（室内機の吸込み温度）の変化ｄtａ/ｄtを加える。
【００３４】
図６はあるフロアにおける室内機（以下「ＩＣ」とする）の設置状況を示した模式図である。図６における窓２を開放した場合の室内機ＩＣ２の運転状態について考える。窓２の開放により室内空間は外部空間に開放された状態となっており、室内機ＩＣ２から冷却された空気を室内空間にいくら送風しても、外部から温度の高い空気が流入してくるので室内空気温度はあまり下がらない。従って、空調機は、より多くの冷却空気を室内に送風しようという方向に制御され、運転負荷が大きくなる。かかる状態は本来、室内空間が外部空間に継続して開放されなければ、行う必要のなかった過負荷運転状態である。
【００３５】
図７に、室内機ＩＣ２の膨張弁開度瞬時値および吸込み温度（室内機近傍温度、即ち、室内温度）の変動予想図を示す。尚、以下の記載においては室内温度が室内機近傍温度（空気の吸込み温度）と等しいと仮定する。図７において、一点鎖線が膨張弁開度瞬時値を、実線が１分毎の膨張弁開度瞬時値を３０分間録った平均値である膨張弁開度移動平均値を、破線が吸込み温度をそれぞれ示している。図７より、窓開放後、膨張弁開度瞬時値、膨張弁開度移動平均値ともに大きくなり、膨張弁開度移動平均値は閾値を超え、吸い込み温度も高くなっていることが分かる。
【００３６】
図８に吸い込み温度変化量を判断要素として加えた過負荷運転状態判断方法に関するフローを示す。図８における左半分のフローのＳ１０１〜Ｓ１１４までは図５に示した過負荷運転状態判断フローと等しい。即ち、運転開始から運転開始時マスク時間Tmask0経過後に、発報マスク時間Tmask1の時間連続して膨張弁開度移動平均値Lev_aveが閾値L_borderを超過していた場合、過負荷運転状態が生じたと膨張弁開度のみに基づく判断をする（Ｓ１１４）。
【００３７】
次に、図８の右半分のフローについて説明する。運転状態管理装置５は室内機近傍温度検出手段２１Ａ，２１Ｂ，２１Ｃ，・・・により検出された１分毎の室内機近傍温度（吸込み温度）tａを受信手段３２により受信し、室内温度変化量検出手段２５により、受信時点より過去に取得し記憶手段３０に記憶されている吸込み温度ｔａから受信時点の吸込み温度ｔａの単位時間当たりの変化量ｄtａ/ｄtを算出する（S２０１）。かかる演算は空調機の運転開始前においても常に行うものとする。
【００３８】
次に、算出されたｄtａ/ｄtの正負判別を行い（S２０２）、ｄtａ/ｄt > ０だった場合には、冷房中にもかかわらず室内温度が上昇したため、窓開放等の室内空気温度を変化させる事態が発生した恐れがあるので、吸込み温度変化の絶対値｜ｄtａ/ｄt｜と任意に設定する吸込み温度変化許容最大値ＤＴとの比較を行い（S２０３）、吸込み温度変化の絶対値｜ｄtａ/ｄt｜が吸込み温度変化許容最大値ＤＴを上回っていた場合には、窓等が開放されたことによる過負荷運転状態が生じたと判断して、吸込み温度変化異状フラグＴＡを １とする（S２０４）。吸込み温度変化の絶対値｜ｄtａ/ｄt｜が吸込み温度変化変化許容最大値ＤＴを下回っていた場合には、ＴＡは前回の値のままＳ２０７へ移行する
【００３９】
Ｓ２０２において、ｄtａ/ｄt < ０の場合には空調機の冷房運転により室内温度が下がっているということであり、窓等が開放され温度の高い外気が室内に入ってきているとは考えにくい。しかし、長時間にわたり継続して窓等が開放されたままである場合には、かかる状態で室内温度が安定してしまっているということもある。このような場合には室内温度変化量が負となり、窓開放中にも関わらずｄtａ/ｄt < ０を満たす状況が生じる可能性があり、ｄtａ/ｄt < ０を窓等の開放からの復旧条件とすることは適切ではない。
【００４０】
かかる事態に対応するため、吸い込み温度taの限界値として、リモコンに入力された空調機の設定温度＋任意の正数αを吸込み温度変化復旧値Ｔｒとして予め設定しておき、この吸込み温度変化復旧値Ｔｒと吸い込み温度taとの比較を行う（S２０２→Ｓ２０５）。吸込み温度ｔａが吸込み温度変化復旧値Ｔｒを下回っていた場合には窓等が閉められ、室内空間が外部空間に開放された状態が解消されたとみなして、吸込み温度変化異状フラグＴＡ = ０とする（S２０６）。ｔａ＜Ｔｒを満たさない場合は、運転開始直後、もしくは窓開放により空調機の運転効果が充分に得られず、吸込み温度taが設定温度に比較してかなり高い温度になっていると考えられるため、ＴＡは前回の値のままＳ２０７へ移行する。
【００４１】
最終的に膨張弁開度移動平均値Lev_aveに基づく連続超過タイマＴ１>発報マスク時間Tmask1（S１１４）と、室内温度変化量に基づくフラグＴＡ=１（S２０７）の両方を満たしていた場合にのみ、現在の運転について室内空間が外部空間に開放されたことにより過負荷運転状態が生じたと確定判断し、報知出力（S２０８）を行う。なお、S２０８において報知出力後はＴＡ＝０とする。連続超過タイマＴ１>発報マスク時間Tmask1を満たしているが、フラグＴＡ=０の場合には室内空間が外部空間に開放されていないが、何らかの理由により空調機が過負荷運転状態であると判断してその旨報知出力する（Ｓ１１５）。
【００４２】
また、上記室内空間が外部空間に開放されたことによる過負荷運転状態の判断は、空調機の運転開始後に窓などが開放された場合だけでなく、室内機が運転開始する以前から室内空間が外部空間に開放されていた場合にも対応できる。即ち、室内機近傍温度検出手段２１Ｂにより検出された吸込み温度ｔａを運転状態管理装置５が受信し、記憶手段３０に記憶して、室内温度変化量検出手段２５により吸込み温度ｔａの単位時間当たりの変化量ｄtａ/ｄtを算出することは、空調機の運転開始前においても運転状態管理装置５において常に行っている。従って、予め室内の窓２が開いている状態で空調機の運転を開始した場合に、運転開始後の運転開始時マスク時間Tmask0を経過しても空調機が定常運転状態にならず、運転負荷の大きくなった状態が継続されて膨張弁開度移動平均値Lev_aveが大きいままで閾値L_borderを下回らない。よって、連続超過タイマT１が発報マスク時間Tmask1を超え、且つ、運転開始前に検知した吸込み温度の急激な変化によりＴＡ＝１となった状態が継続される（窓開放時にはｔａ＞Ｔｒの状態が継続するため、ＴＡ＝０とならない）ため、室内空間が外部空間に開放されたことによる過負荷運転状態と判断することができる。
【００４３】
以上のように、実施形態１においては室内機の膨張弁開度移動平均値Lev_aveのみで過負荷運転状態を判断していたのに対し、室内機ＩＣ２の吸い込み温度taを検出し、吸込み温度の時間変化量ｄｔａ／ｄｔを判断要素として加えることで、過負荷運転状態を生じさせている原因が何であるかを予測し、判断することを可能にし、特に室内空間が外部空間に開放されたことによる過負荷運転状態であると高精度で判断できる。
【００４４】
また、図６において窓２を開放した際には、室内機ＩＣ２と室内機ＩＣ３のそれぞれの膨張弁開度及び吸い込み温度は同じような時間変化をすると考えられ、共に室内空間が外部空間に開放されているとの過負荷運転状態の報知出力がある可能性が高い。しかし、室内機ＩＣ１については、壁又はパーティション等によって区切られているので、窓２が開放された影響は少ないと考えられ、かかる報知出力はないと考えられる。このように複数台の室内機ＩＣ１，ＩＣ２，ＩＣ３について室内空間が外部空間に開放されているとの過負荷運転状態の報知出力の有無を観測することで、どの窓が開放されているかという情報を得ることができる。
【００４５】
実施形態３．
上記の実施形態２は、室内空間を外部空間に開放したような急激な室内空気の温度変化のある過負荷運転状態の発生についてその判断精度を向上させたものである。これに対し、本実施形態は、空調機の設定温度を誤って不適切な値にした場合や、室内機により空気調和される空間の大きさ、温度及び湿度に対して空調機の運転能力が不足しているため、本来の能力以上の運転負荷が常にかかっている場合等に対応する方法を説明する。
【００４６】
図６のゾーン２およびゾーン３のように室内機ＩＣが同一室内に複数台設置されており、リモコンにより入力される設定温度が、室内機ＩＣ６のみ極端に低いものとなった場合、ここでは例として、室内機ＩＣ４，ＩＣ５，IＣ６の設定温度を２４℃に設定しておき、途中で室内機ＩＣ６の設定温度を１９℃とした場合について考える。
【００４７】
室内機ＩＣ５，ＩＣ６のそれぞれの膨張弁開度、膨張弁開度移動平均値Lev_ave及び吸込み温度ｔａの時間変化予想図を図９（ａ），（ｂ）に示す。図９（ａ），（ｂ）において一点鎖線は膨張弁開度の瞬時値を、実線は膨張弁開度移動平均値Lev_aveを、破線は吸込み温度ｔａをそれぞれ示している。
【００４８】
設定温度を１９℃に変更することで室内機ＩＣ６は運転負荷が大きくなり、膨張弁開度移動平均値Lev_aveも大きくなるが、同一ゾーン内に設置されている室内機ＩＣ４と室内機ＩＣ５の設定温度は２４℃のままであるため、ゾーン内の室内温度を室内機ＩＣ６の設定温度である１９℃にまで下げることができない。その結果、室内機ＩＣ６の吸込み温度taは設定温度を１９℃に変更する前よりも多少下がるものの、設定温度までは下がらない。
【００４９】
また、室内機ＩＣ５近傍の室内温度は、室内機ＩＣ６近傍の空調空間から流れ込んだ冷気により次第に下がっていき、室内機ＩＣ５の運転負荷は小さくなり、膨張弁開度瞬時値は小さい状態が長時間続くようになる。よって、室内機ＩＣ６は室内機ＩＣ５が休んでいる分代替して運転し、運転負荷を更に大きくさせ、結果的に本来必要のない負荷の大きな運転状態、即ち、過負荷運転状態となる。
【００５０】
図１０に設定温度および吸込み温度を判断要素として加えた過負荷運転状態判断方法に関するフローを示す。図５に示した過負荷運転状態判断フローとの相違点は複数の室内機ＩＣ６，ＩＣ５の設定温度（to，to'） 及び吸込み温度（ta，ta'）を基に過負荷運転状態の原因についても判断を行う点にある。
【００５１】
図１０のＳ１１４で連続超過タイマＴ１＞発報マスク時間Tmask1だった場合、運転状態管理装置５の過負荷運転状態が生じた特定室内機に係る信号を報知出力手段２４に送信する設定温度不適切特定手段２６において、過負荷運転状態が生じた室内機ＩＣ６と比較対象の室内機ＩＣ５の設定温度（to，to'）および吸込み温度（ta，ta'）について、設定温度差の絶対値|to-to'|、吸込み温度差の絶対値|ta-ta'|、及び、室内機ＩＣ６の設定温度toと吸込み温度taとの差|to-ta|を算出する（S３０１）。室内機ＩＣ６の設定温度が室内機ＩＣ５に比較して低すぎる場合には、設定温度差の絶対値|to-to'|は任意に設定された設定温度差判定値Telとの比較を行った場合（S３０２）、|to-to'|＞Te1となると考えられる。
【００５２】
よって、S３０２においてＹＥＳの方向へ移行することになり、toとto'の大小比較を行う。この比較が持つ意味は以下の通りである。
【００５３】
to＞to'の場合には、室内機ＩＣ６の設定温度を室内機ＩＣ５の設定温度に比べ、一定以上高い値（省エネ方向）に設定しているにも関わらず過負荷運転状態となっていることから、空調機の能力不足による過負荷運転状態であると判断でき、フラグTj に２を代入し（S３０４）、S３１１へ移行する。
【００５４】
S３０３においてto＜to'だった場合には（to-to'）と（ta-ta'）との積を計算し（S３０５）、この値が負だった場合には室内機ＩＣ６の設定温度を一定以上室内機ＩＣ５の設定温度よりも下げているにも関わらず、吸込み温度は室内機ＩＣ５の温度よりも高くなっていることから、空調機の能力不足による過負荷運転状態であると判断でき、フラグTjに２を代入し（S３０６）、S３１１へ移行する。
【００５５】
また、S３０５において（to-to'）と（ta-ta'）との積が正だった場合には設定温度差|to-to'|と吸い込み温度差|ta-ta'|との差を算出する（S３０７）。この演算式が持つ意味は以下の通りである。
【００５６】
室内機ＩＣ６の設定温度toを誤って低くした場合を想定しているので、室内機ＩＣ６の吸込み温度taは室内機ＩＣ６の設定温度toに近づこうと低い値になる。また、室内機ＩＣ５の吸込み温度ta'も室内機ＩＣ６の冷気が室内機ＩＣ６の近傍に流れこむため次第に低くなると考えられる。よって、室内機ＩＣ６の吸込み温度taと室内機ＩＣ５の吸込み温度ta'が共に低くなるためあまり差が生じず、|ta-ta'|の値は|to-to'|に比較して小さい値であると考えられる。これに対し、|to-to'|は室内機ＩＣ６と室内機ＩＣ５の設定温度の差であるため、ある一定の値をとり、結局、（|to-to'|-|ta-ta'|）の値は一定の値とある小さい値の差をとったものとなる。
【００５７】
上記演算式に、具体的な数値を代入した例を示す。例えば、室内機ＩＣ６及び室内機ＩＣ５の設定温度to=１９℃，to'=２４℃、吸込み温度ta=２０℃，ta‘=２１℃として算出すると、|to-to'|＝|１９−２４|＝５となる。予め設定温度差判定値Te1=４としておいたとすると、Ｓ３０２の|to-to'|＞Te1を満たし，Ｓ３０３へ移行する。Ｓ３０３においては、to（１９℃）＜to'（２４℃）であるため、そのままS３０５へ移行する。S３０５においては、（to-to'）＊（ta-ta'）＝（１９−２４）＊（２０−２１）＞０となるため、S３０７へ移行する。そしてS３０７においては、（|to-to'|-|ta-ta'|）＝|１９−２４|-|２０−２１|＝５−１＝４となる。予め隣接室内機温度差判定値Te2＝３としておいたとすると、（|to-to'|-|ta-ta'|）＞Te2を満たし不適切な温度設定があったとする。
【００５８】
また、上記以外に、室内機ＩＣ６の設定温度toを低くし過ぎたにも関わらず室内機ＩＣ６及び室内機ＩＣ５の吸込み温度ta，ta'がともに低くならなかった場合を考える。この場合、設定温度差|to-to'|はある一定の値をとるが、吸い込み温度差は殆どなく、よって、|ta-ta'|は小さい値となり、その結果（|to-to'|-|ta-ta'|）は隣接室内機温度差判定値Te2を超える可能性が高い。以上より、室内機ＩＣ６の設定温度toを低くし過ぎたにも関わらず室内機ＩＣ６及び室内機ＩＣ５の吸込み温度ta，ta'がともに低くならなかった場合にも、（|to-to'|-|ta-ta'|）＞Te2が不適切な温度設定による過負荷運転状態が生じたと判断する際利用できる。
【００５９】
上記演算式に、具体的な数値を代入した例を示す。室内機ＩＣ６の吸込み温度ta＝２３、室内機ＩＣ５の吸込み温度ta‘＝２４を代入して算出すると、to（１９℃）＜to'（２４℃）、（to-to'）＊（ta-ta'）＝（１９−２４）＊（２３−２４）＞０（|to-to'|-|ta-ta'|）＝（|１９-２４|-|２３-２４|）＝４＞Te2となる。
【００６０】
S３０７における算出結果が任意に設定する隣接室内機温度差判定値Te2を上回っていた場合、対象室内機ＩＣ６が不適切な温度設定を原因とする過負荷運転状態であると特定し、フラグTjに１を入力する（S３０８）。Ｓ３０７において、（|to-to'|-|ta-ta'|）＞te2を満たさなかった場合はフラグTjは０のままＳ３１１へ移行する。
【００６１】
S３０２において、|to-to'|がTe1を下回っていた場合、室内機ＩＣ６の設定温度toは隣接室内機ＩＣ５の設定温度to‘と比較して大差ないと判断し、対象室内機ＩＣ６の設定温度toと吸込み温度taとの差|to-ta|を算出する（S３０９）。算出結果が任意に設定する設定・吸込み温度差判定値Te3を上回っていた場合には、設定温度toが不適切な値ではないにもかかわらず、室内機ＩＣ６の運転は膨張弁開度が大きくなった運転負荷の大きい状態で、且つ、吸込み温度taが設定温度toに近づかないという空気調和される空間の大きさ、温度及び湿度に対して室内機ＩＣ６の運転能力が不足している状態である。よって、運転状態管理装置５の運転能力の不足している可能性のある室内機を特定し前記特定した室内機に係る信号を報知出力手段に送信する能力不足特定手段２７は室内機ＩＣ６の運転能力不足による過負荷運転状態と判断し、フラグTjに２を代入する（S３１０）。Ｓ３０９において、|to-ta|＞Te3を満たさなかった場合はフラグTjは０のままＳ３１１へ移行する。
【００６２】
最終的にフラグTjについての判別を行い（S３１１）、Tj=１の場合には不適切な温度設定による過負荷運転状態として報知出力手段２４により報知出力し（S３１２）、Tj=２の場合には運転能力不足による過負荷運転状態として報知出力手段２４により報知出力（S３１３）を行う。なお、いずれの場合も報知出力後にフラグTj＝０と再設定する。S３１１においてTj＝０の場合は、不適切な温度設定でも、空調機の運転能力の不足でもないが何らかの理由により、膨張弁開度移動平均値Lev_aveの大きくなる過負荷運転状態が生じた旨の報知出力を報知出力手段２４により行う（Ｓ１１５）。
【００６３】
以上のように過負荷運転判断に対し、設定温度to、吸込み温度taの隣接室内機との比較および設定温度toと吸込み温度taの差を判断要素として加えることにより、より高精度で過負荷運転状態が生じたことを報知出力できると共に、不適切な温度設定であるか運転能力が不足するのかあるいはそれ以外かの原因についても報知出力することが可能となる。
【００６４】
また、上記実施形態について、比較対象室内機（例においてはＩＣ５）を複数台とし、S３０１からS３１１の動作を複数回行うことで、過負荷運転状態の判断精度をより高めることが可能となる。即ち、図１１に示されるような同一空間に４台の室内機ＩＣ１，ＩＣ２，ＩＣ３，ＩＣ４が配置されている状況を考える。ここで、予め室内機ＩＣ１の比較対照として室内機ＩＣ２，ＩＣ３，ＩＣ４の３台を設定しておき、室内機ＩＣ１が冷房運転中に不適切な温度設定による過負荷運転状態が生じたとする。このような場合には、報知出力手段２４により出力されたリモコン３Ａ又はビル管理者１２又はサービスマン１３の表示手段３４Ａ，３４Ｄの比較対象室内機表示欄に３台の室内機ＩＣ２，ＩＣ３，ＩＣ４すべてが表示されていたとすれば、室内機ＩＣ１のみが極端に高いか又は、極端に低い温度に設定されているため、過負荷運転状態が生じたと判断できる。また、上記表示欄に比較対象室内機として室内機ＩＣ２のみが表示されていた場合には、室内機ＩＣ２の設定温度が高めに設定されているため、その分を補おうとして室内機ＩＣ１が過負荷運転状態になったと考えることができる。以上のように複数の室内機（ＩＣ）を比較対象とすることで、過負荷運転状態を作り出している原因を特定する作業が容易となる。尚、その際には過負荷運転状態にある室内機については比較対象室内機からは除外するものとする。
【００６５】
実施形態４．
上記実施形態３は、不適切な温度設定や空調機の運転能力不足による過負荷運転状態の判断精度を向上させるようにしたものであるが、本実施形態は空調機の運転能力不足による過負荷運転状態が生じた場合の判断精度を更に向上させるよう特化したものである。
【００６６】
図６のゾーン３に示すように、運転能力のほぼ等しい室内機ＩＣ７，ＩＣ８，ＩＣ９を各機械間の距離を等間隔でなく室内機ＩＣ８と室内機ＩＣ９の間を広くとって設置し、３台の設定温度toは同一にして運転した場合を想定する。図１２には、室内機ＩＣ７，ＩＣ８，ＩＣ９の膨張弁開度移動平均値Lev_ave及び吸込み温度taの時間変化予想図を示す。図１２において、一点鎖線が膨張弁開度移動平均値を、細実線が室内機ＩＣ７，ＩＣ８，ＩＣ９の各々の膨張弁開度移動平均値Lev_aveをゾーン内の全室内機ＩＣ７，ＩＣ８，ＩＣ９で平均した値（以下、ゾーン内膨張弁開度移動平均値Lev_ave_zという）を、破線が室内機ＩＣ７，ＩＣ８，ＩＣ９の各吸込み温度taを、太実線が室内機ＩＣ７，ＩＣ８，ＩＣ９の各々の吸込み温度taをゾーン内の全室内機ＩＣ７，ＩＣ８，ＩＣ９で平均した値（以下、ゾーン内吸込み温度平均値ta_ave_zという）を示す。
【００６７】
図１２より、室内機ＩＣ９により空気調和される空間は室内機ＩＣ７および室内機ＩＣ８と比べ大きいため、室内機ＩＣ９の運転負荷が大きくなり、室内機ＩＣ９の膨張弁開度移動平均値は大きくなっている。また、室内機ＩＣ９の吸込み温度taは室内機ＩＣ７，ＩＣ８の吸込み温度ta‘およびta‘‘に比較して高く維持されている。その結果、室内機ＩＣ９の膨張弁開度移動平均値Lev_ave及び吸込み温度taは、共にゾーン内膨張弁開度移動平均値Lev_ave_z及びゾーン内吸込み温度平均値ta_ave_zを上回っている。従って、室内機ＩＣ９はゾーン３における設置位置が悪いために室内機ＩＣ９により空気調和される空間が大きすぎて運転能力が不足し、過負荷運転状態にあるといえる。
【００６８】
上記のような室内機ＩＣ９の運転能力不足による過負荷運転状態を判断するため、運転状態管理装置５の特定した室内機に係る信号を報知出力手段に送信する平均能力不足特定手段２８により、室内機ＩＣ９の膨張弁開度移動平均値Lev_aveおよび吸込み温度taがともにゾーン内膨張弁開度移動平均値Lev_ave_z、ゾーン内吸込み温度平均値ta_ave_zに、それぞれ共に１．０以上２．０以下の補正係数α，βを乗じた値を一定時間以上継続して上回った場合に過負荷運転状態が生じたと判断する。これにより、室内機ＩＣ９の膨張弁開度移動平均値Lev_ave及び吸込み温度taがゾーン内の平均値から大きく離れた場合に能力不足による過負荷運転状態であると判断することとなる。
【００６９】
図１３にゾーン内膨張弁開度移動平均値Lev_ave_z及びゾーン内吸込み温度平均値ta_ave_zを室内機ＩＣ９の過負荷運転判断要素として加えた過負荷運転状態判断方法に関するフローを示す。上記実施形態１，２，３と同様に、運転状態管理装置５は例えば１分単位で空調機のデータを収集し、膨張弁開度移動平均値Lev_aveの算出（S１０２）を行うが、本実施形態においては、更に、ゾーン内膨張弁開度移動平均値Lev_ave_z（S４０１）、及びゾーン内吸込み温度平均値ta_ave_z（S４０２）の算出を行う。
【００７０】
次に、運転開始経過タイマＴ０が運転開始後起動時の運転開始時マスク時間Tmask0を経過しているかどうかの判別を行い（S１０８）、超過していた場合に対象室内機ＩＣ９の膨張弁開度移動平均値Lev_aveがゾーン内膨張弁開度移動平均値Lev_ave_zに任意の係数αを乗じた値を超過しているかどうかを判断し（S４０３）、超えていなければ、連続超過タイマT２を-１、フラグTLを０（S４０４）とし、S４０８へ移行する。対象室内機ＩＣ９の膨張弁開度移動平均値Lev_aveがゾーン内膨張弁開度移動平均値Lev_ave_zに任意の係数αを乗じた値を超えていれば、T２が-１つまり前回まで超えていたかどうかを判断し（S４０５）、前回超えていなければT２ = ０（S４０６）とする。
【００７１】
その後、室内機ＩＣ９の膨張弁開度移動平均値Lev_aveがゾーン内膨張弁開度移動平均値Lev_ave_zを連続して超過した時間をインクリメント（T２ = T２ + １：S４０７）し、連続超過タイマT２が、連続超過マスク時間Tmask2を超えているかどうかを判断し（S４０８）、もし超えていればフラグTLに１を代入し（Ｓ４０９）、S４１０へ移行する。連続超過タイマT２が、連続超過マスク時間Tmask2を超えていなければそのままＳ４１０に移行する。
【００７２】
Ｓ４１０において、対象室内機ＩＣ９の吸込み温度taがゾーン内吸込み温度平均値ta_ave_zに任意の係数βを乗じた値を超過しているかどうかを判断し、超えていなければ、連続超過タイマT３を-１、フラグTSを０（S４１１）とし、Ｓ４１５へ移行する。対象室内機ＩＣ９の吸込み温度taがゾーン内吸込み温度平均値ta_ave_zに任意の係数βを乗じた値を超えていれば、連続超過タイマT３が-１つまり前回まで超えていたかどうかを判断し（S４１２）、前回超えていなければT３ = ０（S４１３）とする。その後、連続超過時間をインクリメント（T３ = T３ + １：S４１４）し、連続超過タイマT３の値が、連続超過マスク時間Tmask3を超えているかどうかを判断し（S４１５）、もし超えていればフラグＴＳに１を代入したのちＳ４１７する。連続超過タイマT３の値が、連続超過マスク時間Tmask3を超えていなければS１０1へ戻る。
【００７３】
最後にＴＬに１が代入されているかどうかの判断を行い、ＴＬ=１の場合（ＴＳ，ＴＬ共に１が代入されている場合）に対象室内機ＩＣ９の運転能力不足について報知出力手段２４により報知出力を行い、TS、TL共に０とする（S４１８）。S４１７においてＴＬ＝１を満たさなければＳ１０１へ移行する。
【００７４】
具体的に、数値を挙げて示す。室内機ＩＣ７，ＩＣ８，ＩＣ９の膨張弁開度移動平均値Lev_aveがそれぞれ１００，１００，２００であった時点について考えると、この時のゾーン内膨張弁開度移動平均値Lev_ave_zは（１００+１００+２００）/３＝１３３である。α=１．３とすると、Lev_ave_z*α＝１７３であるので、室内機ＩＣ９の膨張弁開度移動平均値Lev_ave（＝２００）＞ゾーン内膨張弁開度移動平均値Lev_ave_z＊α（＝１７３）となり、この時点では室内機ＩＣ９は過負荷運転状態にある（Ｓ４０３）。 かかる過負荷運転状態をインクリメント（Ｓ４０５→Ｓ４０７）し、ある時間継続して過負荷運転状態にあったとき（Ｓ４０８）、ＴＬ＝１とする（Ｓ４０９）。
【００７５】
上記時点において、室内機ＩＣ７，ＩＣ８，ＩＣ９の吸い込み温度をそれぞれ２４℃，２４℃，２６℃であったとすると、ゾーン内吸込み温度平均値ta_ave_z＝（２４＋２４＋２６）/３＝２４．７である。β=１．０３とするとta_ave_z*β＝２５．４であるので、室内機ＩＣ９の吸い込み温度ta（=２６℃）＞ゾーン内吸込み温度平均値ta_ave_z（=２５．４℃）となり、ここでも室内機ＩＣ９は過負荷運転状態にある（Ｓ４１０）。 かかる過負荷運転状態をインクリメント（Ｓ４１２→Ｓ４１２）し、ある時間継続して過負荷運転状態にあったとき（Ｓ４１５）、ＴＳ＝１とし（Ｓ４１６）、Ｓ４１７へ移行する。
【００７６】
Ｓ４１７においてＴＬ＝１を満たすので、室内機ＩＣ９は能力不足による過負荷運転状態が生じていると判断し、S４１８において、報知出力手段２４により報知出力を行う。
【００７７】
以上のように対象室内機ＩＣ９の膨張弁開度移動平均値Lev_ave及び吸込み温度taの値を、任意に設定したゾーン内膨張弁開度移動平均値Lev_ave_z及びゾーン内吸込み温度平均値ta_ave_zと比較することで、空調機の運転能力不足を高精度で判断することができる。
【００７８】
ここで、適切な運転能力を持った１台の室内機と、運転負荷に対し大きなゆとりを持った複数の室内機とで構成されるゾーンに本実施形態を適用した場合を考えるとする。この場合には、ゾーン内膨張弁開度移動平均値Lev_ave_zは小さくなるため、適切な運転能力を持つ室内機の膨張弁開度移動平均値Lev_aveは、実際に適切な運転状態であるにもかかわらず、見かけ上大きいように思える。しかし、本実施形態においては、判断条件に吸込み温度taを加えているため、上記のように運転能力が十分である場合には吸込み温度taが他の能力的にゆとりを持った室内機と同等の値にまで変化すると考えられるので図１３において示したフロー上のフラグＴＳが１にならず、適切な運転能力を持った１台の室内機も運転能力が不足すると判断されることはない。
【００７９】
以上のように、上記諸々の実施形態の空調管理システムは運転状態管理装置が膨張弁の開度及び室内温度を示す吸い込み温度等を検出し、検出した膨張弁開度及び吸い込み温度等を基に空調機の過負荷運転状態が生じたことを高精度で判断し、その旨を空調機のリモコンや遠隔地のビル管理者の通信装置に報知出力する。従って、空調機に過負荷運転状態が生じた場合に、リモコンの報知出力に従って、あるいは、ビル管理者等より過負荷運転状態にある室内機が設置された室内に居る者に連絡されて、空調機が設置された室内に居る者が即時に所定の対応ができて空調機の無駄な運転を少なくすることができるので、高い省エネ効果をもたらす機能を有するものである。
【００８０】
尚、本発明にかかる空調管理システムを構成する室内機、室外機、リモコン等は、上記実施形態に示した台数に制限されるものではなく、いずれの台数の組み合わせであってよく、一台の室外機に複数の室内機が配管及び通信接続されていてもよい。また、遠隔監視端末の台数も一台に制限されず、２台、３台等であってもよい。また、運転開始時マスク時間Tmask0は３０分に限定されず、５分以上１時間以下程度の範囲内であればよい。
【００８１】
また、膨張弁開度移動平均値Lev_aveは過去３０分間の膨張弁開度の瞬時値の1分毎の平均に限定されず、過去５分以上２時間以下程度の範囲内であればよく、３０秒毎以上３０分程度毎以下の範囲内であればよい。また、発報マスク時間Tmask1は５分に限定されず、１分以上２時間以下程度の範囲内であればよい。また、設定温度差判断値te1は４に限定されず、隣接室内温度差判断値te2は３に限定されず、それぞれ、空調機１００の運転能力、空調条件等により個別具体的に決定される。
【００８２】
また、上記実施形態では空調機１００が冷房運転を行う場合について記載したが、必要によりデータの処理を施す等することで、暖房運転の際にも同様な過負荷運転状態発生についての判断に適用できる。また、上記実施形態４では、室内機ＩＣ９の設置位置が室内機ＩＣ８から離れていたために室内機ＩＣ９により空気調和される空間が大き過ぎ、室内機ＩＣ９が運転能力不足であると判断される場合を示したが、空調機の運転能力不足であると判断される場合はこのようなものに限定されず、例えば、継続的に室内に居る人数が増えた場合や、新たに発熱機器を設置した場合等に室内温度が高く維持されることとなり、空調機の運転能力が不足する事態が考えられる。
【図面の簡単な説明】
【００８３】
【図１】本発明の一実施形態に係る空調管理システムの構成図である。
【図２】前記空調管理システムに用いる空調機の構成図である。
【図３】前記空調管理システムに用いる運転状態管理装置の構成を示すブロック図である
【図４】前記空調機の運転データの変動予想図である。
【図５】前記空調管理システムのフローチャートである。
【図６】本発明の他の実施形態に係る空調機の室内機配置図である。
【図７】本発明の他の実施形態に係る空調機の運転データの変動予想図である。
【図８】本発明の他の実施形態に係る空調管理システムのフローチャートである。
【図９】本発明の更に他の実施形態に係る空調機の運転データの変動予想図である。
【図１０】本発明の更に他の実施形態に係る空調管理システムのフローチャートである。
【図１１】本発明の別の実施形態に係る空調機の室内機配置図である。
【図１２】本発明の更に別の実施形態に係る空調機の運転データの変動予想図である。
【図１３】本発明の別の実施形態に係る空調管理システムのフローチャートである。
【符号の説明】
【００８４】
１０１  圧縮機、１０２  熱源側熱交換器、１０４  膨張弁、１０５  利用側熱交換器、１００  空調機、２０Ａ，２０Ｂ，２０Ｃ  膨張弁開度検出手段、２２Ａ，２２Ｂ，２２Ｃ  膨張弁開度移動平均値演算手段、２３  過負荷運転状態判断手段、２４  報知出力手段、２５  室内温度変化量検出手段、２Ａ，２Ｂ，２Ｃ、ＩＣ  室内機、２１Ａ，２１Ｂ，２１Ｃ  室内機近傍温度検出手段、２６  設定温度不適切特定手段、２７  能力不足特定手段、２８  平均能力不足特定手段、２００  遠隔監視システム、２９  送信手段。
【図１】
2007093138.tif 000003
【図２】
2007093138.tif 000004
【図３】
2007093138.tif 000005
【図４】
2007093138.tif 000006
【図５】
2007093138.tif 000007
【図６】
2007093138.tif 000008
【図７】
2007093138.tif 000009
【図８】
2007093138.tif 000010
【図９】
2007093138.tif 000011
【図１０】
2007093138.tif 000012
【図１１】
2007093138.tif 000013
【図１２】
2007093138.tif 000014
【図１３】
2007093138.tif 000015